(57)【要約】【課題】  レストラン、ホテル、企業のオフィスなど、多数の人が入れ替わって使用する洋式トイレの便座上に置く敷き紙で、収納供給ケースから１枚ずつ取り出すことが容易であるものを、折りぐせ、曲げぐせ、巻きぐせのついていない平面的な状態で提供すること。  さらには、その敷き紙が、適正な位置に置きやすく、置いた後は、ずれにくいものであることと、その紙が衛生的であることも課題である。【解決手段】洋式トイレの便座の形状に加えて、ずれを防ぐ折り曲げ用突出部３と、取り出し用つまみ部分４を設けた形に裁断し、抗菌処理を施した紙を多数枚重ねて、全体を貫通する糸などで２つの吊り下げ用の輪２を外周近傍の２箇所に取り付け、その輪２を収納供給ケース内のフック等に引っ掛けて吊り下げておく。以上の手段により、課題は解決できる。【選択図】    図２
2007000155.tif 000002
【特許請求の範囲】
【請求項１】
洋式トイレの便座の形状に裁断した水溶性の紙に、ずれ動きを防止するための折り曲げ用突出部を設けるとともに、当該紙の外周近傍に、吊り下げの用に供するための輪を取り付けたことを特徴とする洋式トイレの便座用抗菌敷き紙
【請求項２】
洋式トイレの便座の形状に裁断した水溶性の紙に、ずれ動きを防止するための折り曲げ用突出部を設けるとともに、当該紙の外周近傍に、吊り下げの用に供するための穴を設けたことを特徴とする洋式トイレの便座用抗菌敷き紙。
【請求項３】
洋式トイレの便座の形状に裁断した水溶性の紙に、ずれ動きを防止するための折り曲げ用突出部を設けるとともに、当該紙を２つの部分に分離し得るミシン目を設けたことを特徴とする洋式トイレの便座用清抗菌敷き紙。
【請求項４】
洋式トイレの便座の形状に裁断した水溶性の紙に、ずれ動きを防止するための折り曲げ用突出部を設けるとともに、多数の同形状の紙をのりなどの粘着剤で貼り合わせた、洋式トイレの便座用抗菌敷き紙。
【請求項５】
洋式トイレの便座の形状に裁断した水溶性の紙の外周部または中央の穴の周囲、あるいはその双方に、当該紙とほぼ垂直方向への折り曲げた、ずれ動き防止部分を有するとともに、同形状、かつ同じ大きさに裁断した多数の紙を重ね合わせてなる洋式トイレの便座用抗菌敷き紙。
【発明の詳細な説明】
【技術分野】
【０００１】  本発明は、洋式トイレの便座の上に敷く紙に関するものであり、その形状と構造に工夫を加えることにより、収納供給ケースよりの取り出しと、便座の座面上に置くことが容易にできるようにしたものである。
【背景技術】
【０００２】  従来から、レストラン、ホテル、企業のオフィスなど、多数の人が入れ替わって使用する洋式トイレの一部では、消毒液を塗布し、それを拭き取って使用することや、便座の上に専用の紙を敷いて利用することが行われてきた。その一例として特許文献１などがある。
【特許文献１】              特開  平１１−１４６８４５号公報
【発明の開示】
【発明が解決しようとする課題】
【０００３】  しかし、消毒液の塗布と拭き取りには手間がかかるし、他人がお尻を載せたところを拭くことの気持ち悪さ、さらには、消毒をしたとはいえ、その面上に自分の皮膚を直接接触させることの気持ち悪さは解消されなかった。【０００４】  また、便座の上に敷く紙も、従来用いられてきたものは、腰掛ける前に便座からずれやすかったり、敷いたり貼り付けたりするのに手間がかかったりするという欠点があった。こうした欠点ゆえに、その普及率は高いとはいえず、気持ち悪さを我慢してそのままトイレを使用する人や、トイレットペーパーを数回切り取って便座に敷き並べて使用する人も多かった。【０００５】  本発明は、前述のような欠点を解消するため、ケースから取り出すことも、便座上に置くことも容易にでき、また、置いた後は、ずれ動きにくく、かつ、そのまま便器内に捨てて流すことができる便座の敷き紙を提供することを課題とするものである。
【課題を解決するための手段】
【０００６】  この課題を解決するため、本発明は以下の（１）〜（４）に示すような手段をとった。
（１）材料は抗菌処理を施した水溶性の紙を用いる。
（２）その紙の硬さは、両手で本発明敷き紙の左右の端を持ち、その持った部分を少し        上に曲げた状態で、手前や向こうの端が極端に垂れ下がらずに、ほぼ平面性が維        持できる程度のものとする。
（３）上記材料を便座の形状に裁断したものであるが、便座の形状とまったく同一では        ない点は、図１に示すように、折り曲げ用の突出部３と取り出し用つまみ部分４        を設けた点と、便座よりやや大きくした点である。
（４）本発明の敷き紙の、外周に非常に近いところの２箇所に、吊り下げ用の輪２を取        り付ける。【０００７】本発明の、洋式トイレの便座用抗菌敷き紙は、通常は数十枚が重ねられた状態で、全体を貫通する糸、または紐、または金属製の針金などが輪となるように結ばれ、あるいは成形され、左上端部と右上端部の二箇所に取り付けられたその輪が、半透明のプラスチック製のケース内の天井部分のフックに引っ掛けられて全体が吊り下げられている。そのうち、最も手前側にある一枚の、下端に近い部分の左右の端を両手で持って下に引くと、その１枚は、吊り下げた輪が通っている部分の上が破れて、取り出される。図に示した取り出し用つまみ部分４は、このとき、複数枚を同時に取り出してしまうことを防止する目的で設けたもので、内側に折りたたまれた状態で重なっているため、一枚を取り出さなければ、次のつまみ部分は表面には現出しないしくみになっている。【０００８】  こうして、収納供給ケースより取り出した敷き紙は、中央の穴の周囲に設けられた折り曲げ用突出部３をほぼ直角に下側（便座に置いた状態で見て）に折り曲げる。その後、両手でこの敷き紙の左右の端を持って、上から便座に近づけていき、敷き紙の中央部の穴と便座の穴がほぼ合致する位置で、手を離せば、便座から数センチあるいは十センチ程度離れていても、自然落下によって、本敷き紙は適正な位置に落ち着く。ほぼ直角に折り曲げた部分が便座の穴に入るからである。【０００９】  また、この折り曲げ部分は、便座の穴にほぼぴったり沿う位置に設けてあるため、一度落ち着いた適正な位置から敷き紙が容易には、ずれ動くことはない。【００１０】  このようにして置いた敷き紙の上に腰掛けてトイレを使用した後は、取り出し用つまみ部分４を持って便器内に捨てれば、水溶性の紙でできているため、まったく何の問題もなく処理される。【００１１】  なお、上で述べた手段は、実施の一例について説明したもので、ほかには例えば、折り曲げ用突出部３を、便座の外周部に沿う位置に設けることや、固定性をより確実にするために、穴の周囲と便座の外周部の両方に設けることも可能である。また、吊り下げ用の輪２を取り付ける代わりに図３に示すような穴６を設け、収納供給ケースに設置したフックや軸がその穴６を通るようにすることも、解決手段のひとつである。【００１２】  また、上端近くに細くくびれた部分を設け、そこにミシン目５を入れておいて、１枚ずつ切り取って使用しても、同様の結果を得ることができる。（図４参照）【００１３】  また、一枚一枚を引き剥がしが可能なように、接着力の弱いのりなどで貼り合わせておき、その都度はがして使用することも可能である。【００１４】  なお、特許請求の範囲の請求項１、請求項２、請求項３の発明は、吊り下げ状態から下方に引っ張って１枚だけを取り出すものであるが、のりで貼り合わせたものを剥がして取る方式の場合は、突出部３を前もって折り曲げたものを多数重ね合わせておくことも可能である。その場合は、重なっているうちの表面にある一枚をとって、便座上に置くだけで利用することができるのである。
【発明の効果】
【００１５】  本発明によって、レストラン、ホテル、企業のオフィスなど、多数の人が入れ替わって使用する洋式トイレは、他人と、便座面を仲介して間接的に皮膚を接触することがなくなるため、気持ちよく利用できるようになる。【００１６】  また、抗菌処理を施した新しい紙が、その都度使用されるので、非常に衛生的でもある。【００１７】  使用法も非常に簡単で、子供から高齢者まで、誰でも容易に使用することが可能である。その上、１枚を取り出さないと、次の取り出し用つまみが現出しないので、一度に何枚も消費される心配がない。【００１８】  使用に際しても、折りぐせ、曲げぐせ、巻きぐせなどが一切付いていない平面状態の紙であるため、便座の近くで上から落とすだけで適正な位置に落ち着き、安定する。
【発明を実施するための最良の形態】
【００１９】  課題を解決するための手段の項で述べたように、いくつかの形態があるが、最良の形態として図１、図２に示した形態を選んで、それについて述べる。【００２０】抗菌処理を施した紙を図１のような便座の形状に裁断したものを、図２に示したように多数枚重ね合わせる。その左上端部と右上端部で全体を貫通させた糸で２つの輪２を作り、この輪２を、トイレ内の壁面に取り付け固定されている収納供給ケース内の天井に取り付けたフックにひっかけて留めておく。トイレを使用する人は、表面にある取り出し用つまみ部分４を持って下に引き、１枚を取り出した後、折り曲げ用突出部３を折り曲げて、便座上に置きその上に腰掛ける。使用後は、便器内に捨てて、トイレットペーパーなどとともに流し去ることができる。
【産業上の利用可能性】
【００２１】  本発明の、洋式トイレの便座用抗菌敷き紙は、工業的に量産することが可能であるため、産業上の利用可能性を有する。
【図面の簡単な説明】
【００２２】
【図１】    洋式トイレの便座用抗菌敷き紙の平面図である。
【図２】    洋式トイレの便座用抗菌敷き紙を重ね合わせた一実施例の説明図である。
【図３】    洋式トイレの便座用抗菌敷き紙（別の実施例）の平面図である。
【図４】    洋式トイレの便座用抗菌敷き紙（さらに別の実施例）の平面図である。
【符号の説明】
【００２３】１    本発明の洋式トイレの便座用抗菌敷き紙の本体
２    吊り下げ用の輪
３    ずれ動きを防止する折り曲げ用突出部
４    取り出し用つまみ部分
５    ミシン目
６    吊り下げ用の穴
【図１】
2007000155.tif 000003
【図２】
2007000155.tif 000004
【図３】
2007000155.tif 000005
【図４】
2007000155.tif 000006